【事件の表示】
　特願２００４−　６００３２「電子写真方式画像形成装置の用紙ガイド及び電子写真方式画像形成装置」拒絶査定不服審判事件〔平成１６年　９月３０日出願公開、特開２００４−２７２２５２〕について、次のとおり審決する。
【結　論】
　本件審判の請求は、成り立たない。
【理　由】
１．手続の経緯 
　本願は、平成１６年３月４日（パリ条約による優先権主張２００３年３月４日、韓国）の出願であって、平成１９年１月１７日付けで手続補正がなされ、平成１９年２月５日付けで拒絶査定がなされ、これに対し、同年５月１４日に査定不服の審判請求がなされたものである。
　本願の請求項１〜請求項６に係る発明は（以下、それぞれ、本願発明１〜本願発明６という）、平成１９年１月１７日付け手続補正書により補正された本願明細書の、特許請求の範囲の請求項１〜請求項６に記載された事項により特定される、以下のとおりのものである。
「　特許請求の範囲
　　【請求項１】
　定着ユニットの用紙搬送方向上流に設けられ，前記定着ユニットに引き込まれる印刷用紙を導く電子写真方式画像形成装置の用紙ガイドであって，
　前記印刷用紙を前記定着ユニットに導く案内部材と，
　前記印刷用紙が前記案内部材と接触しないように前記印刷用紙の搬送方向に沿って前記案内部材に形成された複数の案内リブと，
　前記複数の案内リブ間の複数の空間が前記定着ユニットが配設された空間と遮断されるように前記案内部材の前記定着ユニット側の先端に形成された遮断部材とを含み，
　前記遮断部材は，用紙搬送方向に沿った断面が，前記案内部材の端部に向かって前記案内部材の面から上り傾斜する傾斜部を有し，前記傾斜部の前記案内部材の面に対する傾斜が前記案内リブの前記案内部材の面に対する傾斜よりも大きい傾斜を有するように形成されること，
　を特徴とする電子写真方式画像形成装置の用紙ガイド。
　　【請求項２】
　前記案内部材の前記定着ユニット側の端部において，前記遮断部材の前記案内部材の前記端部からの高さは，前記案内リブの前記案内部材の前記端部からの高さと同一となるように形成されたことを特徴とする請求項１に記載の電子写真方式画像形成装置の用紙ガイド。
　　【請求項３】
　前記遮断部材は，用紙搬送方向に沿った断面が，前記案内部材の面が底辺となり前記案内部材の端部に向かって前記案内部材の面から上り傾斜する傾斜部を有する三角形の形状を有することを特徴とする請求項１又は２に記載の電子写真方式画像形成装置の用紙ガイド。
　　【請求項４】
　前記用紙ガイドは，合成樹脂を用いて成形されたことを特徴とする請求項２又は３に記載の電子写真方式画像形成装置の用紙ガイド。
　　【請求項５】
　前記用紙ガイドは，鉄板などの金属をプレスして成形されたことを特徴とする請求項２又は３に記載の電子写真方式画像形成装置の用紙ガイド。
　　【請求項６】
　請求項１〜５のいずれかに記載の電子写真方式画像形成装置の用紙ガイドを備えたことを特徴とする電子写真方式画像形成装置。」
　
２．  原査定において引用された刊行物
（１）刊行物１ 
　原査定における拒絶の理由に引用文献２として引用された、実願昭５９−１８６４１８号（実開昭６１−１０１５４７号）のマイクロフィルム（以下、「刊行物１」という。）には、図面とともに、以下の事項が記載されている。 
　（１ａ）　ガイド装置（２３）を備えた複写機（１）（４頁１３行〜５頁１９行）
「　第２図は本考案に係るガイド装置（２３）を備えた複写機（１）の概略構成を示すもので、・・・。さらに、複写紙は搬送ベルト（２２）からガイド装置（２３）を経て定着ローラ（２４）に送られ、ここで粉体像を定着し排出ローラ（２５）によって排出される。」
　（１ｂ）  ガイド装置（２３）（５頁２０行〜６頁１０行）
「　第１図はガイド装置（２３）の拡大図である。このガイド装置（２３）は搬送ベルト（２２）側のリブ部（２８）と定着ローラ（２４）側の平坦部を平面とした平面部（２３ａ）とが一体的に構成されたガイド板（３０）を有している。リブ部（２８）は通紙方向に沿った複数のリブ（２６）からなり、そのリブ（２６）の上面にシートガイド面（２７）を有し、搬送されてくる複写紙を定着ローラ側の平面部（２３ａ）に導く。さらに、平面部（２３ａ）はリブ（２６）シートガイド面（２７）に連続的に設けられており、定着ローラ（２４）へ複写紙を導く。」
　（１ｃ）  搬送ベルト（２２）、ガイド板（３０），定着ローラ（２４）の位置関係（６頁１１行〜７頁１行）
「　第３図は、搬送ベルト（２２）、ガイド板（３０），定着ローラ（２４）の位置関係を示した要部断面図である。定着ローラ（２４）の配設されている位置は、搬送ベルト（２２）の配設されている位置よりも上方にあり、ガイド板（３０）はこれら搬送ベルト（２２）から定着ローラ（２４）へ複写紙（２９）をガイドするため、リブ部（２８）を下方、すなわち搬送ベルト（２２）方向にして傾いており、複写紙（２９）先端がガイド板（３０）と衝突する地点がリブ部（２８）となるよう設置されガイド装置（２３）を形成している。」
  （１ｄ）　ガイド装置（２３）の動作説明（７頁２行〜８頁６行）
「　次に第４図，第５図を用いて動作説明をする。
　第４図は複写紙（２９）先端がガイド板（３０）のリブ部（２８）を通過する状態を示した図である。未定着のトナー像を保持した複写紙（２９）は搬送ベルト（２２）によって矢印（ａ）方向に搬送され、ガイド板（３０）のリブ部（２８）に衝突し、この衝突により未定着のトナー像や通過径路上に溜っているトナーが付着した複写紙先端よりトナーがガイド板（３０）に落下する。この場合、落下したトナーはリブ（２６）間の溝に落ち、ガイド装置（２３）の表面に付着しないのでジャムや斜め送りの原因となることはない。さらに、衝突した複写紙（２９）はシートガイド面（２７）に沿って搬送される。
　次に第５図は、複写紙（２９）がさらに搬送されその先端がリブ部（２８）を通過し平面部（２３ａ）に至った様子を示している。第５図に示すように、ガイド板（３０）の平面部（２３ａ）に達した複写紙（２９）は、リブ部（２８）で生じた波うちをガイド板（３０）の平面部（２３ａ）によって矯正され、フラットな状態になり、定着ローラ（２４）のニップ部へと突入する。このように、平面部（２３ａ）によって複写紙（２９）はフラット状態にされ、その後定着ローラで定着されるため、定着後の複写紙にシワが寄る等の不都合は生じない。」
　（１ｅ）  リブ（２６）間の溝底面部に対する傾斜（第１図、第３図）
  第１図、第３図には、平面部（２３ａ）とリブ部（２８）との境界部における、複写紙（２９）の搬送方向に沿った断面が、前記境界部に向かって、リブ（２６）間の溝底面部から上り傾斜する傾斜部を有し、その傾斜部のリブ（２６）間の溝底面部に対する傾斜が、リブ（２６）シートガイド面（２７）のリブ（２６）間の溝底面部に対する傾斜よりも大きいこと、が図示されている。
　
　前記摘記事項を総合勘案すると、刊行物１には、下記の発明（以下、「刊行物１記載発明」という。）が実質的に記載されている。 
「  未定着のトナー像を保持した複写紙（２９）を搬送ベルト（２２）から定着ローラ（２４）へ導くための、複写機（１）の、ガイド装置（２３）において、
　搬送ベルト（２２）側のリブ部（２８）と、定着ローラ（２４）側の平坦部を平面とした平面部（２３ａ）とが、一体的に構成された、搬送ベルト（２２）から定着ローラ（２４）へ複写紙（２９）をガイドする、ガイド板（３０）からなり、
　リブ部（２８）は、通紙方向に沿った複数のリブ（２６）からなり、そのリブ（２６）の上面にシートガイド面（２７）を有し、リブ（２６）間は、溝をなし、その溝は落下したトナーを収容するようになっていて、溝底面部には、複写紙（２９）が接触しないようになっており、
　平面部（２３ａ）の、複写紙（２９）の搬送方向に沿った断面が、前記境界部に向かって、リブ（２６）間の溝底面部から上り傾斜する傾斜部を有し、その傾斜部のリブ（２６）間の溝底面部に対する傾斜が、リブ（２６）シートガイド面（２７）のリブ（２６）間の溝底面部に対する傾斜よりも大きい、
　複写機（１）のガイド装置（２３）。」
　
３．　本願発明１（前者）と刊行物１記載発明（後者）との対比 
　後者の
　「複写機（１）」、
　「未定着のトナー像を保持した複写紙（２９）を搬送ベルト（２２）から定着ローラ（２４）へ導くための、ガイド装置（２３）」、
　「搬送ベルト（２２）から定着ローラ（２４）へ複写紙（２９）をガイドする、ガイド板（３０）」、
　「通紙方向に沿った複数のリブ（２６）」、
は、それぞれ、前者の
　「電子写真方式画像形成装置」、
　「定着ユニットの用紙搬送方向上流に設けられ，前記定着ユニットに引き込まれる印刷用紙を導く電子写真方式画像形成装置の用紙ガイド」、
　「前記印刷用紙を前記定着ユニットに導く案内部材」、
　「前記印刷用紙が前記案内部材と接触しないように前記印刷用紙の搬送方向に沿って前記案内部材に形成された複数の案内リブ」、
に相当する。
　また、後者の「（ガイド板（３０）の）定着ローラ（２４）側の平坦部を平面とした平面部（２３ａ）」と、前者の「前記案内部材の前記定着ユニット側の先端に形成された遮断部材」とは、「前記案内部材の前記定着ユニット側の先端に形成された部材」である点で一致し、後者の「（平面部（２３ａ）の、）複写紙（２９）の搬送方向に沿った断面が、前記境界部に向かって、リブ（２６）間の溝底面部から上り傾斜する傾斜部を有し、その傾斜部のリブ（２６）間の溝底面部に対する傾斜が、リブ（２６）シートガイド面（２７）のリブ（２６）間の溝底面部に対する傾斜よりも大きいこと」は、前者の「（前記遮断部材は，）用紙搬送方向に沿った断面が，前記案内部材の端部に向かって前記案内部材の面から上り傾斜する傾斜部を有し，前記傾斜部の前記案内部材の面に対する傾斜が前記案内リブの前記案内部材の面に対する傾斜よりも大きい傾斜を有するように形成されること」に相当する。
　してみると、両者は、 
「　定着ユニットの用紙搬送方向上流に設けられ，前記定着ユニットに引き込まれる印刷用紙を導く電子写真方式画像形成装置の用紙ガイドであって，
　前記印刷用紙を前記定着ユニットに導く案内部材と，
　前記印刷用紙が前記案内部材と接触しないように前記印刷用紙の搬送方向に沿って前記案内部材に形成された複数の案内リブと，
　前記案内部材の前記定着ユニット側の先端に形成された部材とを含み，
　前記部材は，用紙搬送方向に沿った断面が，前記案内部材の端部に向かって前記案内部材の面から上り傾斜する傾斜部を有し，前記傾斜部の前記案内部材の面に対する傾斜が前記案内リブの前記案内部材の面に対する傾斜よりも大きい傾斜を有するように形成されること，
　を特徴とする電子写真方式画像形成装置の用紙ガイド。」 
である点で一致し、以下の点で一応相違する。 
　
（１）　相違点 
「前記案内部材の前記定着ユニット側の先端に形成された部材」に関して、
　前者では、「前記複数の案内リブ間の複数の空間が前記定着ユニットが配設された空間と遮断されるように形成した遮断部材」であるのに対し、
　後者では、「平面部（２３ａ）」が、リブ（２６）間の溝の空間を、定着ローラ（２４）が配設された空間と遮断するように形成されているかどうか明記されていない点
　
４．　判断 
　そこで、この相違点について検討する。
　本願明細書において、「前記複数の案内リブ間の複数の空間が前記定着ユニットが配設された空間と遮断」するとは、
　本願明細書の段落【００２４】によれば（図４参照）、
　印刷用紙１２０が用紙ガイド１００の案内リブ１０３上に位置すると，用紙ガイド１００の複数の案内リブ１０３間の複数の空間１０７は，案内部材１０１が底部になり，複数の案内リブ１０３が両側壁になり，印刷用紙１２０が天井になり，遮断部材１０５が前壁になる状態、
を意味するものである。
　
　（本願明細書の段落【００２４】）
「　【００２４】  印刷用紙１２０が用紙ガイド１００の案内リブ１０３上に位置すると，用紙ガイド１００の複数の案内リブ１０３間の複数の空間１０７は，現像ユニット側だけが開放され，他側は塞がれた密閉空間になる。即ち，複数の案内リブ１０３間の複数の空間１０７は，案内部材１０１が底部になり，複数の案内リブ１０３が両側壁になり，印刷用紙１２０が天井になり，遮断部材１０５が前壁になり，後壁だけが開放された六面体の密閉された空間となる。この結果，空間１０７に存在する空気は外部に流れることができず停滞した状態になり，用紙ガイド１００の熱で加熱され，用紙ガイド１００と同じ温度を維持するようになる。従って，用紙ガイド１００上を通る印刷用紙１２０は，複数の案内リブ１０３上を通る部分及び複数の案内リブ間の空間１０７を通る部分において同じ熱を受けるようになる。」
　
　そして、刊行物１の第５図には、ガイド板（３０）の平面部（２３ａ）に達した複写紙（２９）は、平面部（２３ａ）で、フラットな状態になることが示されている。
　刊行物１の第５図によれば、刊行物１記載発明においても、リブ（２６）間の溝の空間は、溝底面部が底部となり、リブ（２６）が両側壁になり、複写紙（２９）が天井になり、平面部（２３ａ）が前壁になる状態となる。結局、刊行物１記載発明においても、ガイド板（３０）の平面部（２３ａ）は、リブ（２６）間の溝の空間が定着ローラ（２４）が配設された空間と遮断されるように形成されているということができる。
　
　そうすると、前記相違点は、「前記案内部材の前記定着ユニット側の先端に形成された部材」について、「遮断」という機能に着目したかどうかの差異に過ぎず、当業者が格別の創意を要するものということができない。
　そして、本願発明の効果が、刊行物１記載発明の効果と比較して、格別のものということもできない。
　以上検討したところによれば、本願発明１は、刊行物１記載発明に基づいて当業者が容易に発明をすることができたものである。
　
５．むすび 
　以上のとおり、本願の特許請求の範囲の請求項１に係る発明は、刊行物１記載発明に基づいて当業者が容易に発明をすることができたものであるから、特許法第２９条第２項の規定により特許を受けることができず、本願の請求項２〜請求項６に係る発明について検討するまでもなく、本願は拒絶すべきものである。
　よって、結論のとおり審決する。